(57)【特許請求の範囲】
【請求項１】
冷凍室と、冷蔵室と、前記冷凍室の温度帯よりも高く、前記冷蔵室の温度帯よりも低い温度帯の特定低温室と、前記冷凍室を冷却するための冷凍室用冷却器と、冷凍室用送風機と、冷凍室吐出風路と、冷凍室温度検知手段と、冷蔵室を冷却するための冷蔵室用冷却器と、冷蔵室用送風機と、冷蔵室吐出風路と、冷蔵室用送風機制御回路とを備え、前記冷凍室吐出風路から前記特定低温室に連通する特定低温室吐出風路と、特定低温室温度検知手段と、冷凍室温度または特定低温室温度により冷凍室用送風機の運転を制御する冷凍室用送風機制御回路を設けたことを特徴とする冷凍冷蔵庫。
【発明の詳細な説明】
【０００１】
【発明の属する技術分野】
本発明は、冷凍室，冷蔵室にそれぞれ専用の冷却器と送風機を備えた冷凍冷蔵庫に関するものである。
【０００２】
【従来の技術】
近年、冷凍冷蔵庫は、冷凍サイクルの運転効率を向上させ省電力化を実現するために、冷凍室用と冷蔵室用とでそれぞれ専用の冷却器と送風機を設けることが提案されている。
【０００３】
従来、冷凍室用と冷蔵室用とでそれぞれ専用の冷却器と送風機を設けた冷凍冷蔵庫については特開平８−２１０７５２号公報に記載されたものが知られている。
【０００４】
以下、図面を参照しながら上記従来の冷凍冷蔵庫を説明する。
図６は従来の冷凍冷蔵庫の構成図である。図６において、１は冷凍室で、２は冷凍室用冷却器、３は冷凍室用送風機、４は冷凍室吐出風路、５は冷凍室温度検知手段、６は冷凍室用送風機制御回路、７は冷凍室戻り風路を示す。また、８は冷蔵室で、９は冷蔵室用冷却器、１０は冷蔵室用送風機、１１は冷蔵室吐出風路、１２は冷蔵室温度検知手段、１３は冷蔵室用送風機制御回路、１４は冷蔵室戻り風路を示す。
【０００５】
以上のように構成された冷凍冷蔵庫についてその動作を説明する。冷凍室温度検知手段５によって検知される冷凍室１の温度が設定温度より高ければ冷凍室用送風機制御回路６により冷凍室用送風機３が運転して冷凍室用冷却器２で冷却された冷気が冷凍室吐出風路４を通じて冷凍室１に供給され冷凍室１が冷却される。次に、冷凍室１に供給された冷気は、冷凍室戻り風路７を通じて冷凍室用冷却器２に戻る。また、冷凍室温度検知手段５によって検知される冷凍室１の温度が設定温度より低くなれば冷凍室用送風機制御回路６により冷凍室用送風機３の運転が停止して冷凍室１が冷却されなくなる。以上の動作を繰り返して冷凍室１は所定の温度に維持される。
【０００６】
同様に、冷蔵室温度検知手段１２によって検知される冷蔵室８の温度が設定温度より高ければ冷蔵室用送風機制御回路１３により冷蔵室用送風機１０が運転して冷蔵室用冷却器９で冷却された冷気が冷蔵室吐出風路１１を通じて冷蔵室８に供給され冷蔵室８が冷却される。次に、冷蔵室８に供給された冷気は、冷蔵室戻り風路１４を通じて冷蔵室用冷却器９に戻る。また、冷蔵室温度検知手段１２によって検知される冷蔵室８の温度が設定温度より低くなれば冷蔵室用送風機制御回路１３により冷蔵室用送風機１０の運転が停止して冷蔵室８が冷却されなくなる。以上の動作を繰り返して冷蔵室８は所定の温度に維持される。
【０００７】
この時、一般的に冷凍冷蔵庫の冷凍サイクルの運転効率を高めるにはなるべく冷却器の蒸発温度を高めれば良いことが知られており、本従来例においても冷蔵室用冷却器９の蒸発温度を高めに設定することで運転効率を高めている。
【０００８】
【発明が解決しようとする課題】
しかしながら上記の構成では、冷凍室１と冷蔵室８の２室をそれぞれ個別に温度制御するだけの構成となっているため、新たに冷蔵室８より温度帯が低い特定低温室を設けることは困難であるという欠点があった。
【０００９】
本発明は従来の課題を解決するもので、冷凍室，冷蔵室にそれぞれ専用の冷却器と送風機を備えた冷凍冷蔵庫において、冷凍室，冷蔵室の２室の他に新たに冷蔵室より温度帯が低い特定低温室を設けるようにすることで、高効率の冷凍サイクルを維持しつつ、より多くの温度帯の温度維持性の良い貯蔵室を提供することで貯蔵性の優れた冷凍冷蔵庫を提供することを目的とする。
【００１０】
【課題を解決するための手段】
この目的を達成するために本発明は、特定低温室を新たに設けると共に、冷凍室吐出風路から前記特定低温室内に連通する特定低温室吐出風路を設け、これにより、冷凍室冷却用の冷気の一部が特定低温室内へ供給され、容易に特定低温室を所定の温度に冷却することができる。
【００１１】
また、特定低温室温度検知手段と、冷凍室温度または特定低温室温度により冷凍室用送風機の運転を制御するようにした冷凍室用送風機制御回路とを設け、これにより、特定低温室の温度が所定の温度より高くなった場合、冷凍室温度に関係なく冷凍室用送風機が運転して特定低温室へ冷気が供給されるので、特定低温室の温度上昇を抑えることができる。
【００１４】
【発明の実施の形態】
本発明は各請求項に記載した構成を実施形態とすることができる。すなわち、請求項１記載の発明は、冷凍室と、冷蔵室と、前記冷凍室の温度帯よりも高く、前記冷蔵室の温度帯よりも低い温度帯の特定低温室と、前記冷凍室を冷却するための冷凍室用冷却器と、冷凍室用送風機と、冷凍室吐出風路と、冷凍室温度検知手段と、冷蔵室を冷却するための冷蔵室用冷却器と、冷蔵室用送風機と、冷蔵室吐出風路と、冷蔵室用送風機制御回路とを備え、前記冷凍室吐出風路から前記特定低温室に連通する特定低温室吐出風路と、特定低温室温度検知手段と、冷凍室温度または特定低温室温度により冷凍室用送風機の運転を制御する冷凍室用送風機制御回路を設けたものである。これにより、冷凍室冷却用の冷気の一部が特定低温室へ供給され、容易に特定低温室を所定の温度に冷却することができる。
【００１５】
また、特定低温室の温度が所定の温度より高くなった場合、冷凍室温度に関係なく冷凍室用送風機が運転して特定低温室へ冷気が供給されるので、特定低温室の温度上昇を抑えるようにすることができる。
【００１８】
【実施例】
以下、本発明による冷凍冷蔵庫の実施例について、図面を参照しながら説明する。なお、従来と同一構成の部分については、同一番号を付与して詳細な説明を省略する。
【００１９】
（実施例１）
図１は本発明の実施例１における冷凍冷蔵庫の構成図である。
【００２０】
図１において、１５は特定低温室で、１６は冷凍室吐出風路４から前記特定低温室１５に連通する特定低温室吐出風路である。１７は前記特定低温室１５から冷凍室戻り風路７に連通する特定低温室用戻り風路である。
【００２１】
以上のように構成された冷凍冷蔵庫について、以下その動作を説明する。
冷凍室温度検知手段５によって検知される冷凍室１の温度が設定温度より高ければ冷凍室用送風機制御回路６により冷凍室用送風機３を運転して冷凍室用冷却器２で冷却された冷気が冷凍室吐出風路４を通じて冷凍室１に供給され冷凍室１が冷却されると共に、冷凍室吐出風路４を通る冷気の一部が特定低温室吐出風路１６を通じて特定低温室１５に供給される。次に、特定低温室１５に供給された冷気は、特定低温室用戻り風路１７を通じて冷凍室用冷却器２に戻る。この時、特定低温室１５の温度設定は冷凍室１の設定温度である約−１８℃より高い約−３℃としており、本来冷凍室１を冷却するために冷凍室用冷却器２から供給される約−３０〜−２５℃の低温の冷気が特定低温室１５へ供給されることになるので、特定低温室１５へ供給される冷気量は少量で済み特定低温室吐出風路１６の断面積も小さくできるので、容易に約−３℃の設定温度の特定低温室１５が提供できることになる。
【００２２】
以上のように本実施例の冷凍冷蔵庫は、冷凍室１と、冷蔵室８と、特定低温室１５と、冷凍室１を冷却するための冷凍室用冷却器２と、冷凍室用送風機３と、冷凍室吐出風路４と、冷凍室用送風機制御回路６と、冷蔵室８を冷却するための冷蔵室用冷却器９と、冷蔵室用送風機１０と、冷蔵室吐出風路１１と、冷蔵室用送風機制御回路１３とを備え、冷凍室吐出風路４から特定低温室１５に連通する特定低温室吐出風路１６を設けたことにより、冷凍室冷却用の冷気の一部が特定低温室１５へ供給され、容易に特定低温室１５を所定の温度に冷却することになる。なお、冷蔵室は図６に示した冷蔵室と同じ構成とする。
【００２３】
（実施例２）
図２は本発明の実施例２における冷凍冷蔵庫の構成図で、図３は同実施例２における冷凍冷蔵庫の冷凍室用送風機の運転制御図である。
【００２４】
図２，図３において、１８は冷凍室温度検知手段５によって検知される冷凍室１の温度および特定低温室温度検知手段１９によって検知される特定低温室１５の温度によって冷凍室用送風機３の運転を制御する冷凍室用送風機制御回路である。
【００２５】
以上のように構成された冷凍冷蔵庫について、以下その動作を説明する。
冷凍室温度検知手段５によって検知される冷凍室１の温度が所定の温度より高ければ冷凍室用送風機制御回路１８により冷凍室用送風機３を運転して冷凍室用冷却器２で冷却された冷気が冷凍室吐出風路４を通じて冷凍室１に供給され冷凍室１が冷却される。また、冷凍室温度検知手段５によって検知される冷凍室１の温度が設定温度より低くなれば冷凍室用送風機制御回路１８により冷凍室用送風機３の運転を停止して冷凍室１が冷却されなくなる。さらに、冷凍室１の温度に関係なく、特定低温室温度検知手段１９によって検知される特定低温室１５の温度が所定の温度より高ければ冷凍室用送風機制御回路１８により冷凍室用送風機３が運転して冷凍室用冷却器２で冷却された冷気が冷凍室吐出風路４および特定低温室吐出風路１６を通じて特定低温室１５に供給され特定低温室１５が冷却される。
【００２６】
以上のように本実施例の冷凍冷蔵庫は、特定低温室温度検知手段１９と、冷凍室温度または特定低温室温度により冷凍室用送風機３の運転を制御するようにした冷凍室用送風機制御回路１８とを設けたことにより、特定低温室１５の温度が所定の温度より高くなった場合、冷凍室温度に関係なく冷凍室用送風機３が運転して特定低温室１５へ冷気が供給されるので、特定低温室１５の温度上昇を抑えることになる。なお、冷蔵室は図６に示した冷蔵室と同じ構成とする。
【００２７】
（参考例１）
図４は本発明の参考例１における冷凍冷蔵庫の構成図である。
【００２８】
図４において、２０は冷凍室吐出風路４から特定低温室１５に連通する特定低温室吐出風路１６内に設けられた特定低温室用送風機で、２１は特定低温室温度により前記特定低温室用送風機２０の運転を制御するようにした特定低温室用送風機制御回路である。
【００２９】
以上のように構成された冷凍冷蔵庫について、以下その動作を説明する。
特定低温室温度検知手段１９によって検知される特定低温室１５の温度が設定温度より高ければ特定低温室用送風機制御回路２１により特定低温室用送風機２０を運転して冷凍室用冷却器２で冷却された冷気が冷凍室吐出風路４および特定低温室吐出風路１６を通じて特定低温室１５に供給され特定低温室１５が冷却される。次に、特定低温室１５に供給された冷気は、特定低温室用戻り風路１７を通じて冷凍室用冷却器２に戻る。また、特定低温室温度検知手段１９によって検知される特定低温室１５の温度が設定温度より低くなれば特定低温室用送風機制御回路２１により特定低温室用送風機２０の運転を停止して特定低温室１５が冷却されなくなる。以上の動作を繰り返して特定低温室１５は所定の温度に精度良く維持される。
【００３０】
以上のように本参考例の冷凍冷蔵庫は、特定低温室温度検知手段１９と、冷凍室吐出風路４から特定低温室１５に連通する特定低温室吐出風路１６内に特定低温室用送風機２０と、特定低温室温度により前記特定低温室用送風機２０の運転を制御するようにした特定低温室用送風機制御回路２１とを設けたことで、特定低温室１５へ供給される冷気量が特定低温室用送風機２０の運転によって制御されるので、特定低温室１５の温度を精度良く維持することができる。なお、冷蔵室は図６に示した冷蔵室と同じ構成とする。
【００３１】
（参考例２）
図５は本発明の参考例２における冷凍冷蔵庫の構成図である。
【００３２】
図５において、２２は冷凍室吐出風路４から特定低温室１５に連通する特定低温室吐出風路１６内に設けられた特定低温室用ダンパーで、２３は特定低温室温度により前記特定低温室用ダンパー２２の開閉を制御するようにした特定低温室用ダンパー制御回路である。
【００３３】
以上のように構成された冷凍冷蔵庫について、以下その動作を説明する。
特定低温室温度検知手段１９によって検知される特定低温室１５の温度が設定温度より高ければ特定低温室用ダンパー制御回路２３により特定低温室用ダンパー２２を開いて、冷凍室用冷却器２で冷却された冷気が冷凍室吐出風路４および特定低温室吐出風路１６を通じて特定低温室１５に供給され特定低温室１５が冷却される。次に、特定低温室１５に供給された冷気は、特定低温室用戻り風路１７を通じて冷凍室用冷却器２に戻る。また、特定低温室温度検知手段１９によって検知される特定低温室１５の温度が設定温度より低くなれば特定低温室用ダンパー制御回路２３により特定低温室用ダンパー２２を閉じて特定低温室１５が冷却されなくなる。以上の動作を繰り返して特定低温室１５は所定の温度に精度良く維持される。
【００３４】
以上のように本参考例の冷凍冷蔵庫は、特定低温室温度検知手段１９と、冷凍室吐出風路４から特定低温室１５に連通する特定低温室吐出風路１６内に特定低温室用ダンパー２２と、特定低温室温度により前記特定低温室用ダンパー２２の開閉を制御するようにした特定低温室用ダンパー制御回路２３とを設けたことで、特定低温室１５へ供給される冷気量が特定低温室用ダンパー２２の開閉によって制御されるので、特定低温室１５の温度を精度良く維持することができる。なお、冷蔵室は図６に示した従来の冷蔵室と同じ構成とする。
【００３５】
【発明の効果】
以上説明したように、請求項１記載の発明によれば、冷凍室と、冷蔵室と、前記冷凍室の温度帯よりも高く、前記冷蔵室の温度帯よりも低い温度帯の特定低温室と、前記冷凍室を冷却するための冷凍室用冷却器と、冷凍室用送風機と、冷凍室吐出風路と、冷凍室温度検知手段と、冷蔵室を冷却するための冷蔵室用冷却器と、冷蔵室用送風機と、冷蔵室吐出風路と、冷蔵室用送風機制御回路とを備え、前記冷凍室吐出風路から前記特定低温室に連通する特定低温室吐出風路と、特定低温室温度検知手段と、冷凍室温度または特定低温室温度により冷凍室用送風機の運転を制御する冷凍室用送風機制御回路を設けたことにより、冷凍室冷却用の冷気の一部が特定低温室へ供給され、容易に特定低温室を所定の温度に冷却することになり、高効率の冷凍サイクルを維持しつつ、より多くの温度帯の貯蔵室を提供することで貯蔵性の優れた冷凍冷蔵庫を提供することになる。
【００３６】
また、特定低温室の温度が所定の温度より高くなった場合、冷凍室温度に関係なく冷凍室用送風機が運転して特定低温室へ冷気が供給されるので特定低温室の温度上昇を抑えることになり、温度維持性の良い特定低温室が設けられ、より貯蔵性の優れた冷凍冷蔵庫を提供することになる。
【図面の簡単な説明】
【図１】  本発明の実施例１における冷凍冷蔵庫の構成図
【図２】  本発明の実施例２における冷凍冷蔵庫の構成図
【図３】  同冷凍冷蔵庫の冷凍室用送風機の運転制御図
【図４】  本発明の参考例１における冷凍冷蔵庫の構成図
【図５】  本発明の参考例２における冷凍冷蔵庫の構成図
【図６】  従来の冷凍冷蔵庫の構成図
【符号の説明】
１  冷凍室
２  冷凍室用冷却器
３  冷凍室用送風機
４  冷凍室吐出風路
５  冷凍室温度検知手段
６，１８  冷凍室用送風機制御回路
８  冷蔵室
９  冷蔵室用冷却器
１０  冷蔵室用送風機
１１  冷蔵室吐出風路
１２  冷蔵室温度検知手段
１３  冷蔵室用送風機制御回路
１５  特定低温室
１６  特定低温室吐出風路
１９  特定低温室温度検知手段
２０  特定低温室用送風機
２１  特定低温室用送風機制御回路
２２  特定低温室用ダンパー
２３  特定低温室用ダンパー制御回路
【図１】
0003957863.tif 000002
【図２】
0003957863.tif 000003
【図３】
0003957863.tif 000004
【図４】
0003957863.tif 000005
【図５】
0003957863.tif 000006
【図６】
0003957863.tif 000007